(57)【特許請求の範囲】
【請求項１】
光源と、
計測量を表示する指標部を有する表示板と、
前記表示板を囲む見返し部材と、
前記表示板の裏側に設けられ、前記光源からの光を受光する受光部と、前記表示板の裏側から表側に突き出して前記受光部が受けた光に基づき発光される凸状部と、を有する導光体と、を備える計器用表示装置であって、
前記表示板は、中心から外側に向かうにつれて、前記表示板の厚さ方向において前記見返し部材に近づくように傾斜した傾斜面と、前記傾斜面の外側端部に続く平坦な透過意匠部とを有し、
前記導光体は、前記受光部を備える傾斜導光部と、前記傾斜導光部につながり、前記凸状部を備える平面導光部と、前記傾斜導光部と前記平面導光部との境界部に形成される光拡散部とを有し、
前記傾斜導光部は、前記傾斜面に沿うように設けられ、
前記平面導光部は、前記透過意匠部に沿うように設けられ、
前記光拡散部は、前記凸状部から前記見返し部材に向かって漏れる光を拡散させる、
ことを特徴とする計器用表示装置。
【請求項２】
光源と、
計測量を表示する指標部を有する表示板と、
前記表示板を囲む見返し部材と、
前記表示板の裏側に設けられ、前記光源からの光を受光する受光部と、前記表示板の裏側から表側に突き出して前記受光部が受けた光に基づき発光される凸状部と、を有する導光体と、を備える計器用表示装置であって、
前記表示板は、中心から外側に向かうにつれて、前記表示板の厚さ方向において前記見返し部材に近づくように傾斜した傾斜面と、前記傾斜面の外側端部に続く平坦な透過意匠部とを有し、
前記導光体は、前記凸状部の前記見返し部材側となる外面に形成される光拡散部を有し、
前記光拡散部は、前記見返し部材に向かって漏れる光を拡散させて前記透過意匠部を照明する、
ことを特徴とする計器用表示装置。
【請求項３】
前記凸状部の外側の前記平面導光部に形成される他の光拡散部を備え、前記他の光拡散部にて拡散される光で前記透過意匠部を照明する、
ことを特徴とする請求項１に記載の計器用表示装置。
【請求項４】
前記光拡散部と前記透過意匠部との間に光を拡散する空間を設けた、
ことを特徴とする請求項２に記載の計器用表示装置。
【請求項５】
前記他の光拡散部と前記透過意匠部との間に光を拡散する空間を設けた、
ことを特徴とする請求項３に記載の計器用表示装置。
【請求項６】
前記計器用表示装置は、
指針の位置により車両情報を表示する前記表示板を有する指針式計器で構成される、
ことを特徴とする請求項１乃至５のいずれかに記載の計器用表示装置。
【発明の詳細な説明】
【技術分野】
【０００１】
本発明は計器用表示装置に関する。
【背景技術】
【０００２】
計器用表示装置は、例えば特許文献１に開示されたものがある。この計器用表示装置は、計測量を表示する指標部となる目盛り部を有する表示板の裏側に光源からの光で透過発光させて照明する導光体を配置し、表示板の目盛り部に表示板の裏側から表側に導光体の凸状部を突き出すようにして凸状部を発光させるようにしている。
【先行技術文献】
【特許文献】
【０００３】
【特許文献１】特開２００７−３３０８２号公報
【発明の概要】
【発明が解決しようとする課題】
【０００４】
しかし、特許文献１に記載されている計器用表示装置は、光源から導光体に導光された光が、表示板の表側に突き出した導光体の凸状部から、表示板の外側を囲む見返し部材に漏れ、漏れた光が見返し部材に映り込んで表示品位が低下するという問題があった。
【０００５】
本発明は、上記現状に鑑みてなされたものであり、表示板の裏側から表側に突き出した導光体からの映り込みを防止して表示品位を向上することができる計器用表示装置を提供することを目的とする。
【課題を解決するための手段】
【０００６】
上記目的を達成するため、本発明の計器用表示装置は、
光源と、
計測量を表示する指標部を有する表示板と、
前記表示板を囲む見返し部材と、
前記表示板の裏側に設けられ、前記光源からの光を受光する受光部と、前記表示板の裏側から表側に突き出して前記受光部が受けた光に基づき発光される凸状部と、を有する導光体と、を備える計器用表示装置であって、
前記表示板は、中心から外側に向かうにつれて、前記表示板の厚さ方向において前記見返し部材に近づくように傾斜した傾斜面と、前記傾斜面の外側端部に続く平坦な透過意匠部とを有し、
前記導光体は、前記受光部を備える傾斜導光部と、前記傾斜導光部につながり、前記凸状部を備える平面導光部と、前記傾斜導光部と前記平面導光部との境界部に形成される光拡散部とを有し、
前記傾斜導光部は、前記傾斜面に沿うように設けられ、
前記平面導光部は、前記透過意匠部に沿うように設けられ、
前記光拡散部は、前記凸状部から前記見返し部材に向かって漏れる光を拡散させる、
ことを特徴とする。
【発明の効果】
【０００７】
本発明によれば、表示板の裏側から表側に突き出した導光体からの映り込みを防止して表示品位を向上することができる。
【図面の簡単な説明】
【０００８】
【図１】本発明の計器用表示装置の一実施形態に係る概略正面である。
【図２】本発明の一実施形態に係る断面図および部分拡大断面図である。
【図３】本発明の他の一実施形態に係る断面図および部分拡大断面図である。
【図４】本発明のさらに他の一実施形態に係る断面図および部分拡大断面図である。
【図５】本発明の一実施形態に係る光の拡散状態の説明図である。
【発明を実施するための形態】
【０００９】
以下に、本発明の一実施形態に係る計器用表示装置を、図面を参照して説明する。
この実施形態にかかる計器用表示装置１は、自動車等の車両用の計器装置に組み込まれ、例えば指針式計器１００として構成される。
なお、以下の説明では、車両用の指針式計器１００を正面視したとき（つまり、ユーザーが指針式計器１００を正面から見て計測値などの指標部２１を確認する場合）の視認側を「表」といい、背面側を「裏」という。
【００１０】
計器用表示装置１は、光源１０と、計測量を表示する指標部２１を有する表示板２０と、表示板２０を囲む見返し部材３０と、表示板２０の裏側に設けられ、光源１０からの光を受光する受光部４１と表示板２０の裏側から表側に突き出して受光部４１が受けた光に基づき発光される凸状部４２とを有する導光体４０と、を備える計器用表示装置１であって、導光体４０は、受光部４１と見返し部材３０との光路中に、凸状部４２から見返し部材３０に向かって漏れる光を拡散させる光拡散部４３を備えて構成される。さらに、指針式計器１００は、上記の計器用表示装置１と、指針５０と、回路基板６０と、中ケース７０と、を備える。
【００１１】
指針式計器１００は、例えばスピードメータであり、表示板２０に形成される目盛り、数値等の指標部２１と、この指標部２１を指示する指針５０とを対比判読させることにより車速を報知する。
【００１２】
光源１０は、表示板用の光源１０と図示しない指針用の光源とを備える。表示板用の光源１０は、表示板２０を透過照明するためのものである。指針用の光源は、指針５０を発光させるためのものである。表示板用の光源１０および指針用の光源は、例えば、ＬＥＤ（Light Emitting Diode）から構成される。表示板用の光源１０および指針用の光源は、回路基板６０の表側に実装される。
【００１３】
表示板２０は、所定の樹脂、例えば、ポリカーボネート樹脂により形成された透光性を有する板材と、この板材の表側及び／又は裏側に形成された遮光性の印刷層と、から構成されている。
表示板２０は、指針５０の回転中心部５１が位置する中心から外側に向かうにつれて、表示板２０の厚さ方向において表示板２０を囲む見返し部材３０に近づくように傾斜した傾斜面２２と、傾斜面２２の外側端部に続く平坦な透過意匠部２３とを有している。すなわち、表示板２０は、表側から見て周囲が平坦でその内側が略円錐形状に凹んだ形状に形成されている。指標部２１は、透過意匠部２３側となる傾斜面２２の周縁、及び平坦な透過意匠部２３に形成されている。
表示板２０は、指針５０の指示対象である指標部２１のうち数値２１ａが配置される部分の印刷層は、抜き文字状となっている。なお、抜き文字状の部分に、透光性の印刷層を形成しても良い。
表示板２０は、指標部２１のうち小目盛り部２１ｂが印刷層の抜き文字状とされ、所定の区切りごとの大目盛り部２１ｃが貫通する孔で構成されている。表示板２０は、小目盛り部２１ｂおよび大目盛り部２１ｃの外側に略半円弧状の光透過部２１ｄが形成されている。
これにより、表示板２０では、数値２１ａ、小目盛り部２１ｂおよび光透過部２１ｄが導光体４０を介して透過照明され、大目盛り部２１ｃは、導光体４０の凸状部４２で発光照明される。
【００１４】
見返し部材３０は、表示板２０の表側に配置されて表示板２０の周囲を立壁部３１で囲んで後述する中ケース７０の表側に取り付けられ、指針式計器１００の不要箇所を隠す（表示板２０の可視領域を定める）ようにしている。見返し部材３０は、例えば、ＡＢＳ（Acrylonitrile Butadiene Styrene copolymer）などの樹脂を用い、例えば、黒色とされて遮光性を有している。見返し部材３０は、表側の立壁部３１を塞ぐように透明板（図示せず）、例えば、ガラスが取り付けられている。
【００１５】
導光体４０は、表示板２０の傾斜面２２に沿い受光部４１を備える傾斜導光部４４と、傾斜導光部４４につながり、表示板２０の透過意匠部２３に沿い凸状部４２を備える平面導光部４５と、を有する形状とされている。すなわち、導光体４０は、表示板２０の裏面に沿った形状とされ、略円錐状の傾斜導光部４４の外側に平面状の平面導光部４５がつながった形状となっている。
傾斜導光部４４は、中心側に、光源１０からの光を受光する受光部４１が裏側に形成されており、受光部４１は、回路基板６０に設けた光源１０と対面している。
平面導光部４５は、表示板２０の大目盛り部２１ｃの孔を貫通して表示板２０の裏側から表側に突き出して凸状部４２が形成されており、凸状部４２は、大目盛り部２１ｃに対応して等間隔に形成されている。
凸状部４２は、直方体状に形成されている。凸状部４２は、中心側の端部が傾斜導光部４４と平面導光部４５のつながる境界部４６に位置している。凸状部４２は、中心側と反対の外側の端部が平面導光部４５の外側端部の内側に位置しており、見返し部材３０および中ケース７０との間に空間４７を空けて配置されている。
【００１６】
導光体４０は、受光部４１と見返し部材３０との光路中に、凸状部４２から見返し部材３０に向かって漏れる光を拡散させる光拡散部４３を備えて構成されている。
光拡散部４３は、傾斜導光部４４と平面導光部４５の境界部４６に設けてある。光拡散部４３は、受光部４１と凸状部４２を経て見返し部材３０までの光路中の境界部４６に形成することで、凸状部４２から見返し部材３０に向かって漏れる光Ｌを拡散させる光拡散機能を有する（図５参照）。光拡散部４３は、例えば微細加工による凹凸部で構成される。
これにより、導光体４０は、受光部４１で受光した光源１０からの光Ｌが、傾斜導光部４４内を導光され、さらに平面導光部４５に導光されて、表示板２０の指標部２１を透過照明すると共に、凸状部４２に導光された光が発光し、大目盛り部２１ｃを照明する。
また、凸状部４２に導光される光源１０からの光Ｌの一部は、受光部４１と見返し部材３０までの光路中の境界部４６に形成した光拡散部４３で拡散される。
凸状部４２から漏れ出す光は、拡散光となり、ビーム状のスポット光に比べて目立たなくなって見返し部材３０への映り込みが抑制される。つまり、光拡散部４３で凸状部４２から見返し部材３０へのスポット光が拡散されることで、見返し部材３０への映り込みが抑制される構成となり、従来必要とされた映り込みを弱めるスリットなどを設ける必要がなく、しかも平面導光部４５への光量を確保し、透過意匠部２３は、照明むらを抑制して透過照明することができる。
なお、凸状部４２が光源１０からの光で照明されると、後述する中ケース７０の内部（照明空間７５）が点灯されて明るくなって不要な部分が見えることから、凸状部４２の裏側に、図示しない遮光板や遮光層などを設けるようにすることが好ましい。
【００１７】
指針５０は、その回転中心となる回転中心部５１と回転中心部５１から放射方向に突き出した指示部５２とが、例えばＰＭＭＡ(Polymethymethacrylate)等の透明樹脂で一体に形成されている。回転中心部５１は、遮光性の所定の合成樹脂からなる指針キャップ５３で覆われている。指示部５２は、図示しない指針用の光源の光を受けて発光するものである。指針５０は、駆動部であるステッピングモータ５４の回転軸に連結されて回転駆動される。
【００１８】
回路基板６０は、図２に示すように、例えば、ガラスエポキシ樹脂（Glass Fiber Reinforced Plastics)からなる絶縁性を有する板状の基材に各種配線がプリントされている。回路基板６０には、各種電子部品が実装されている。
回路基板６０に実装される各種電子部品は、指針式計器１００の動作を制御する制御部（図示しないマイクロコンピュータ等）、指針５０を回転駆動するステッピングモータ５４、各種電子部品に接続される回路を構成する抵抗やコンデンサ、表示板２０を照明するための光源１０などである。
制御部は、指針式計器１００の外部装置、例えば、車両のＥＣＵ（Electronic Control Unit）から車両の速度等の車両情報を取得し、取得した情報に基づいて、計器用の光源１０や図示しない指針用の光源を点灯／消灯させたり、指針５０を回転駆動するステッピングモータ５４を動作させる。
計器用の光源１０や指針用光源は、回路基板６０の表側に実装される。また、ステッピングモータ５４は、回路基板６０の裏側に実装され、図示しないが、制御部は、回路基板６０の表側に実装される。
【００１９】
中ケース７０は、回路基板６０の表側に位置し、指針式計器１００の構成部品、光源１０や導光体４０などを収納し、表示板２０などの構成部品を保持する。中ケース７０は、例えば、ポリプロピレン（Polypropylene）などの樹脂により白色に形成される。
中ケース７０は、中心部に小円筒部７１を備え、小円筒部７１の内側には、指針５０の回転軸が位置し、指針用光源の光を、指針５０の回転軸を中心とする径方向に拡がらないように遮蔽しながら、指針５０を発光させる。
中ケース７０は、表示板２０の裏側を囲んで小円筒部７１の外側の中円筒部７２と、中円筒部７２の外側の略円錐状の仕切り壁７３と、仕切り壁７３の外側の大円筒部７４とを備えている。中円筒部７２と仕切り壁７３で仕切られた空間が照明空間７５となる。照明空間７５内には、表示板用の光源１０が設けられ、例えば、円周上等間隔に光源１０を配置し、光源１０からの光は、導光体４０を介して導光され、表示板２０を透過して指標部２１を均一な光で照明する。照明空間７５は、光源１０の消灯時には、遮光されて暗所状態となる。
指針式計器１００では、透明板で塞がれた見返し部材３０と、中ケース７０の裏側の回路基板６０を挟んで、下ケース８０が位置する（図２等参照）。透明板で塞がれた見返し部材３０と、中ケース７０と、下ケース８０と、が組み合わされることで、略箱状になり指針式計器１００の筐体が構成される。
【００２０】
このような指針式計器１００によれば、計器用表示装置１によって、光源１０からの光Ｌが導光体４０で導光されて表示板２０の指標部２１を透過照明すると共に、凸状部４２に導光された光で、凸状部４２が発光し、表示板２０の大目盛り部２１ｃが照明される。
この凸状部４２の発光により凸状部４２の見返し部材３０と対向する外面から漏れ出る光は、ビーム状の強い光とならずに受光部４１と凸状部４２との光路途中の光拡散部４３で拡散されることで、見返し部材３０の立壁部３１への光が凸状部４２の形状のスポット光とならず、拡散された目立たない光となって映り込みを抑制した状態にすることができる。
また、凸状部４２から拡散して漏れ出す光は、表示板２０の透過意匠部２３を、照明むらを抑えて照明することができる。
【００２１】
次に、本発明の他の実施形態の計器用表示装置１Ａについて、図３により説明する。
なお、本実施の形態では、既に説明した上記の実施の形態と同一部分については、同一符号を記し重複する説明は省略する。
計器用表示装置１Ａは、導光体４０に設ける光拡散部４３が異なり、凸状部４２の見返し部材３０と対向する外面に形成される光拡散部４３Ａを備えている。なお、本実施の形態では、光拡散部４３および光拡散部４３Ａの２つを備えて構成されている。
光拡散部４３Ａは、凸状部４２の見返し部材３０と対向する外面に形成されている。光拡散部４３Ａは、受光部４１と見返し部材３０との光路中(光路端部）に形成されることで、凸状部４２から見返し部材３０に向かって漏れる光を拡散させることができる。光拡散部４３Ａは、例えば微細加工による凹凸部で構成される。
また、この光拡散部４３Ａを凸状部４２の見返し部材３０と対向する外面に設け、光拡散部４３Ａが表示板２０と導光体４０の平面導光部４５との間の空間４７に位置するようにしてある。この空間４７によって、光拡散部４３Ａで拡散された光は、和らいだ光となって透過意匠部２３を表示板２０の裏側から透過照明することができる。
他の構成は、既に説明した実施の形態の計器用表示装置１と同一である。
本実施の形態の計器用表示装置１Ａによれば、導光体４０は、受光部４１で受光した光源１０からの光が、傾斜導光部４４で導光され、さらに平面導光部４５に導光されて、表示板２０の指標部２１を透過照明すると共に、凸状部４２に導光された光が発光し、大目盛り部２１ｃを照明する。また、凸状部４２に導光された光源１０からの光は、凸状部４２の外側(見返し部材３０と対向する外面）から光拡散部４３Ａで拡散され出光され、漏れた光による見返し部材３０への映り込みが拡散によって抑制される。さらに、光拡散部４３Ａで凸状部４２から見返し部材３０へのスポット光が拡散されることで、映り込みが目立たなくなり、しかも平面導光部４５への光量を確保し、透過意匠部２３は照明むらを抑制して照明することができる。
なお、本実施の形態では、光拡散部４３を受光部４１と見返し部材３０との光路途中の境界部４６にも設けてあるので、境界部４６でも光源１０からの光が拡散され、さらに凸状部４２の見返し部材３０と対向する外面に設けた光拡散部４３Ａで拡散され、一層見返し部材３０への映り込みを抑制することができる。
また、本実施の形態の計器用表示装置１Ａは、既に説明した計器用表示装置１と同一の効果を奏するものである。
【００２２】
次に、本発明の他の実施形態の計器用表示装置１Ｂについて、図４により説明する。
なお、本実施の形態では、既に説明した上記の実施の形態と同一部分については、同一符号を記し重複する説明は省略する。
計器用表示装置１Ｂは、導光体４０に設ける光拡散部４３が異なり、凸状部４２の外側の平面導光部４５に光拡散部４３Ｂが形成されている。なお、本実施の形態では、光拡散部４３および光拡散部４３Ｂの２つを備えて構成されている。
光拡散部４３Ｂは、受光部４１と見返し部材３０との光路中の平面導光部４５の表側に形成されることで、凸状部４２から見返し部材３０に向かって漏れる光を拡散させることができる。光拡散部４３Ｂは、例えば微細加工による凹凸部で構成される。
また、この光拡散部４３Ｂを導光体４０の凸状部４２の外側の平面導光部４５に設け、光拡散部４３Ｂが表示板２０と導光体４０の平面導光部４５との間の空間４７内に位置するようにしてある。光拡散部４３Ｂが空間４７内に位置することによって、光拡散部４３Ｂで拡散された光は、和らいだ光となって透過意匠部２３を表示板２０の裏側から透過照明することができる。
他の構成は、既に説明した実施の形態の計器用表示装置１と同一である。
本実施の形態の計器用表示装置１Ｂによれば、導光体４０は、受光部４１で受光した光源１０からの光が、傾斜導光部４４で導光され、さらに平面導光部４５に導光されて、表示板２０の指標部２１を透過照明すると共に、凸状部４２に導光された光が発光し、大目盛り部２１ｃを照明する。また、凸状部４２に導光された光源１０からの光は、凸状部４２の外側の平面導光部４５上の光拡散部４３Ｂで拡散され、漏れた光による見返し部材３０への映り込みが拡散によって抑制される。さらに、光拡散部４３Ｂで凸状部４２から見返し部材３０へのスポット光が拡散されることで、映り込みが目立たなくなり、しかも平面導光部４５への光量を確保し、透過意匠部２３は照明むらを抑制して透過照明することができる。
【００２３】
なお、本実施の形態では、光拡散部４３を受光部４１と見返し部材３０との光路途中の境界部４６にも設けてあるので、境界部４６でも光源１０からの光が拡散され、さらに凸状部４２の外側の平面導光部４５に設けた光拡散部４３Ｂで拡散され、一層見返し部材３０への映り込みを抑制することができる。
また、本実施の形態の計器用表示装置１Ｂは、既に説明した計器用表示装置１と同一の効果を奏するものである。
なお、上記２つの実施の形態の計器用表示装置１Ａ，１Ｂでは、光拡散部４３をも設けるようにしたが、光拡散部４３は必ずしも組み合わせる必要はなく、単独に光拡散部４３Ａ，４３Ｂを設けるようにしても良い。また、上記２つの実施の形態の計器用表示装置１Ａ，１Ｂでは、それぞれに空間４７を設けるようにしたが、空間４７は必ずしも必要でなく、上記２つの実施の形態の計器用表示装置１Ａ，１Ｂでの光拡散部４３Ａ，４３Ｂと組み合わせて設けるようにすることで、拡散した光を和らげて透過意匠部２３を透過照明することができる。
【００２４】
本発明の計器用表示装置１によれば、光源１０と、計測量を表示する指標部２１を有する表示板２０と、表示板２０を囲む見返し部材３０と、表示板２０の裏側に設けられ、光源１０からの光を受光する受光部４１と、表示板２０の裏側から表側に突き出して受光部４１が受けた光に基づき発光される凸状部４２と、を有する導光体４０と、を備える計器用表示装置１であって、導光体４０は、受光部４１と見返し部材３０との光路中に、凸状部４２から見返し部材３０に向かって漏れる光を拡散させる光拡散部４３を備えているので、凸状部４２から漏れる光を光拡散部４３で拡散させることで、見返し部材３０への映り込みを抑制することができ、表示品位を向上することができる。
【００２５】
本発明の計器用表示装置１によれば、表示板２０は、中心から外側に向かうにつれて、表示板２０の厚さ方向において見返し部材３０に近づくように傾斜した傾斜面２２と、傾斜面２２の外側端部に続く平坦な透過意匠部２３とを有し、導光体４０は、傾斜面２２に沿い受光部４１を備える傾斜導光部４４と、傾斜導光部４４につながり、透過意匠部２３に沿い凸状部４２を備える平面導光部４５と、を有し、光拡散部４３は、傾斜導光部４４と平面導光部４５との境界部４６に形成されているので、境界部４６に形成した光拡散部４３によって凸状部４２から見返し部材３０に、漏れ出す光による映り込みを抑制することができ、表示品位を向上することができる。また、拡散された光で透過意匠部２３が照明され、照明むらを生じさせることなく透過照明することができる。
【００２６】
本発明の計器用表示装置１Ａによれば、表示板２０は、中心から外側に向かうにつれて、表示板２０の厚さ方向において見返し部材３０に近づくように傾斜した傾斜面２２と、傾斜面２２の外側端部に続く平坦な透過意匠部２３とを有し、導光体４０は、傾斜面２２に沿い受光部４１を備える傾斜導光部４４と、傾斜導光部４４につながり、透過意匠部２３に沿い凸状部４２を備える平面導光部４５と、を有し、光拡散部４３Ａは、凸状部４２の見返し部材３０と対向する外面に形成され、見返し部材３０に向かって漏れる光を拡散させて透過意匠部２３を照明するので、凸状部４２の見返し部材３０と対向する外面に形成した光拡散部４３Ａで漏れ出す光を拡散することができ、表示品位を向上することができる。また、拡散された光で透過意匠部２３が照明され、照明むらを生じさせることなく透過照明することができる。
【００２７】
本発明の計器用表示装置１Ｂによれば、光拡散部４３Ｂは、凸状部４２の外側の平面導光部４５に形成され、拡散される光で透過意匠部２３を照明するので、凸状部４２の外側の平面導光部４５に形成した光拡散部４３Ｂで漏れ出す光を拡散することができ、表示品位を向上することができる。また、拡散された光で透過意匠部２３が照明され、照明むらを生じさせることなく透過照明することができる。
【００２８】
本発明の計器用表示装置１Ａ，１Ｂによれば、光拡散部４３Ａ，４３Ｂと透過意匠部２３との間に光を拡散する空間４７を設けたので、光拡散部４３Ａ，４３Ｂから漏れ出す光が空間４７で和らげられ、一層漏れ出す光で表示品位を向上することができる。また、拡散された光で空間４７を介して透過意匠部２３が照明され、一層照明むらを生じさせることなく透過照明することができる。
【００２９】
本発明の計器用表示装置１によれば、計器用表示装置１は、指針５０の位置により車両情報を表示する表示板２０を有する指針式計器１００で構成されているので、表示板２０を照明する光が見返り部材３０に漏れ出して映り込むことを防止することができ、表示品位を向上することができる。
【００３０】
なお、本発明は、上記各実施の形態に限定するものではなく、指針式計器１００等の計器用表示装置に広く適用することができる。
【符号の説明】
【００３１】
１００          指針式計器
１              計器用表示装置
１Ａ            計器用表示装置
１Ｂ            計器用表示装置
１０            光源
２０            表示板
２１            指標部
２１ａ          数値
２１ｂ          小目盛り部
２１ｃ          大目盛り部
２１ｄ          光透過部
２２            傾斜面
２３            透過意匠部
３０            見返し部材
３１            立壁部
４０            導光体
４１            受光部
４２            凸状部
４３            光拡散部
４３Ａ          光拡散部
４３Ｂ          光拡散部
４４            傾斜導光部
４５            平面導光部
４６            境界部
４７            空間
５０            指針
５１            回転中心部
５２            指示部
５３            指針キャップ
５４            ステッピングモータ
６０            回路基板
７０            中ケース
７１            小円筒部
７２            中円筒部
７３            仕切り壁
７４            大円筒部
７５            照明空間
８０            下ケース
【図１】
0006610137.tif 000002
【図２】
0006610137.tif 000003
【図３】
0006610137.tif 000004
【図４】
0006610137.tif 000005
【図５】
0006610137.tif 000006